(57)【要約】【課題】画面上で商品を選択させるための桝目状の商品陳列棚を設計するための商品棚設計プログラムを提供する。【解決手段】商品棚設計プログラムは、桝目欄ｂ２０を構成する桝目の行、列数の入力を受け付けて、それにもとづいて、行、列属性項目名入力枠と、商品ごとの単価入力枠とを有した桝目状の桝目テーブルを生成し、画面上に表示させるステップと、表示された桝目テーブルの行、列属性項目入力枠に対する属性項目名と、各桝目の単価入力枠に対する商品単価との入力を受け付けて、これらの入力項目を上記桝目テーブル内に表示するステップと、入力された属性項目名と、入力された各単価とを含んだ桝目テーブルの桝目情報を、所定操作によって桝目欄の表示構成情報として保存するステップとを実行する。【選択図】図６
2008015737.tif 000002
【特許請求の範囲】
【請求項１】
ユーザ側の通信端末器から通信ネットワークを介してダウンロード要求を受け付けたときに、販売者サーバが通信ネットワークを介して該通信端末器に対し商品選択画面の表示構成情報をもとに生成した画面情報をダウンロードするようにした電子商取引システムにおいて、該商品選択画面を構成する商品陳列棚の設計を、画面表示操作により対話形式で行う商品棚設計プログラムであって、
上記商品選択画面は、１つの商品群に属する商品の属性を行、列に区分して特定した商品情報を、選択操作部とともにそれぞれの桝目に表示させた桝目欄を有した構成とされており、
上記桝目欄を構成する桝目の行、列数の入力を受け付けて、それにもとづいて、行、列属性項目名入力枠と、商品ごとの単価入力枠とを有した桝目状の桝目テーブルを生成し、画面上に表示させるステップと、
表示された桝目テーブルの行、列属性項目入力枠に対する属性項目名と、各桝目の単価入力枠に対する商品単価の入力を受け付けて、これらの入力項目を上記桝目テーブル内に表示するステップと、
上記入力された属性項目名と、入力された各単価とを含んだ上記桝目テーブルの桝目情報を、所定操作によって上記桝目欄の表示構成情報として保存するステップとを実行する構成としている商品棚設計プログラム。
【請求項２】
ユーザ側の通信端末器から通信ネットワークを介してダウンロード要求を受け付けたときに、販売者サーバが通信ネットワークを介して該通信端末器に対し商品選択画面の表示構成情報をもとに生成した画面情報をダウンロードするようにした電子商取引において、該商品選択画面を構成する商品陳列棚の設計を、あらかじめ準備された設計基礎データを入力して実行する構成とした商品棚設計プログラムであって、
上記商品選択画面は、１つの商品群に属する商品の属性を行、列に区分して特定した商品情報を、選択操作部とともにそれぞれの桝目に表示させた桝目欄を有した構成とされ、
上記桝目欄の行、列属性項目入力枠に表示する行、列属性項目名と、各桝目の単価入力枠に表示する商品単価とに対応して、あらかじめ所定形式の設計基礎データが準備されており、
この設計基礎データを読み込むステップと、
その入力データを、上記桝目欄に表示させるための桝目情報に変換する変換ステップと、
上記桝目情報を、上記桝目欄の表示構成情報として保存するステップとを実行する構成としている商品棚設計プログラム。
【請求項３】
請求項１または２において、
上記販売者サーバは、商品選択画面の商品陳列棚を構成する商品の明細情報を商品ごとに格納した商品マスターファイルを有しており、
上記桝目情報のうち各桝目に対応して生成された商品単価をもとに、上記商品マスターファイルを登録、更新することを特徴とする商品棚設計プログラム。
【発明の詳細な説明】
【技術分野】
【０００１】
本発明は、電子商取引システムにおいてユーザの通信端末器に表示させる商品選択画面を構成する商品陳列棚を設計するための商品棚設計プログラムに関するものである。
【背景技術】
【０００２】
近年、インターネットを利用した電子商取引システムが普及している。
【０００３】
特に、次の特許文献１では、２つの属性によって１商品を特定できるようにした複数商品からなる商品群を、２つの属性を行、列に規定した桝目状の一覧表に割り付けて、その一覧表をユーザの通信端末器にダウンロードし、画面表示させて、その一覧表の各桝目に相当する商品をユーザに選択させるようにした電子商取引システムが提案されている。
【０００４】
例えば、行属性をＳ、Ｍ、Ｌなどの衣服サイズ、列属性を青、赤、黄などの衣服色と規定した衣服用の商品選択桝目欄をユーザの通信端末器に表示させ、ユーザに行と列によって特定される桝目に購入数量を入力させると、その桝目の商品が選択でき、なおかつ、購入数量を入力した桝目の商品について合計金額が算出され、画面上に表示される。
【０００５】
このように画面上に表示される一覧表は、商品を陳列するための仮想の商品棚となり得るが、一覧表内の各桝目は上記のように２つの属性によって特定されるものであるため、管理者が商品をレイアウト設計するために、各桝目に商品を１つずつ割り付けていくような陳列方法では効率が悪い。そのため、このような桝目状の一覧表を簡易にかつ確実に設計する方法が望まれている。
【特許文献１】特開２００２−１５００７２号公報
【発明の開示】
【発明が解決しようとする課題】
【０００６】
本発明は、上記課題を解決するために提案されたもので、その目的は、画面上で商品を選択させるための桝目状の商品陳列棚を設計するための商品棚設計プログラムを提供することにある。
【課題を解決するための手段】
【０００７】
上記目的を達成するために、請求項１に記載の商品棚設計プログラムは、ユーザの通信端末器から通信ネットワークを介してダウンロード要求を受け付けたときに、販売者サーバが通信ネットワークを介して該通信端末器に対し商品選択画面の表示構成情報をダウンロードするようにした電子商取引において、該商品選択画面を構成する商品陳列棚の設計を、画面表示操作による対話形式で行う商品棚設計プログラムであって、次の各ステップを実行することを特徴としている。ここで、商品選択画面は、１つの商品群に属する商品の属性を行、列に区分して特定した商品情報を、選択操作部とともにそれぞれの桝目に表示させた桝目欄を有した構成とされている。
【０００８】
すなわち、この商品棚設計プログラムは、桝目欄を構成する桝目の行、列数の入力を受け付けて、それにもとづいて、行、列属性項目名入力枠と、商品ごとの単価入力枠とを有した桝目状の桝目テーブルを生成し、画面上に表示させるステップと、表示された桝目テーブルの行、列属性項目入力枠に対する属性項目名と、各桝目の単価入力枠に対する商品単価との入力を受け付けて、これらの入力項目を上記桝目テーブル内に表示するステップと、入力された属性項目名と、入力された各単価とを含んだ桝目テーブルの桝目情報を、所定操作によって桝目欄の表示構成情報として保存するステップとを実行する。
【０００９】
請求項２に記載の本発明は、ユーザの通信端末器から通信ネットワークを介してダウンロード要求を受け付けたときに、販売者サーバが通信ネットワークを介して該通信端末器に対し商品選択画面の表示構成情報をもとに生成した画面情報をダウンロードするようにした電子商取引において、該商品選択画面を構成する商品陳列棚の設計を、準備された設計基礎データを入力して実行する構成とした商品棚設計プログラムであって、次の各ステップを実行することを特徴としている。ここで、商品選択画面は、１つの商品群に属する商品の属性を行、列に区分して特定した商品情報を、選択操作部とともにそれぞれの桝目に表示させた桝目欄を有した構成とされている。また、この桝目欄の行、列属性項目入力枠に表示する行、列属性項目名と、各桝目の単価入力枠に表示する商品単価とに対応して、あらかじめ所定形式の設計基礎データが準備されている。
【００１０】
すなわち、この商品棚設計プログラムは、この設計基礎データを入力するステップと、その入力データを、桝目欄に対応した桝目情報に変換する変換ステップと、桝目情報を、桝目欄の表示構成情報として保存するステップとを実行する。
【００１１】
請求項３では、販売者サーバは商品選択画面の商品陳列棚を構成する商品の明細情報を商品ごとに格納した商品マスターファイルを有しており、本発明プログラムは、桝目情報のうち各桝目に対応して生成された商品単価をもとに、商品マスターファイルを登録、更新することを特徴としている。
【発明の効果】
【００１２】
請求項１に記載の商品棚設計プログラムによれば、商品棚を構成する所望の桝目欄に対応した桝目状のテーブルを画面表示させてから、必要な項目の入力、表示をしながら設計することができるため、画面上で商品を１つ１つ確認しながら、ユーザの通信端末器に表示すべき商品棚を設計することができる。
【００１３】
請求項２に記載の本発明プログラムによれば、あらかじめ準備した所定形式の設計基礎データを読み込んで実行する形式であるため、夜間などに一括実行することができる。また、設計基礎データのコピーと修正を繰り返せば、短時間で類似する複数の商品棚を設計することができる。設計基礎データはどのような形式でもよいが、ＣＳＶなどの標準形式にすれば、表計算ソフトで簡易にデータ生成することができる。そのため、目的とする桝目欄と全く同じ行、列数を有した表でもって設計基礎データを作成することができる。
【発明を実施するための最良の形態】
【００１４】
以下に、本発明の実施の形態について、添付図面を参照しながら説明する。
【００１５】
本実施形態は、第１、第２の本発明である商品棚設計プログラムのいずれをも適用する電子商取引システム、およびそのシステムで稼動する第１、第２の本発明プログラムの実施形態を示している。説明の都合上、まず図１〜図５で本発明プログラムによって生成した仮想の商品陳列棚を利用した電子商取引システムの全体構成について説明し、ついで図６〜図９で第１、第２の本発明プログラムについて説明し、最後に図１０〜図１４で商品のカテゴリを選択するためのカテゴリ選択画面の操作と、その画面設計について説明する。
【００１６】
図１は、電子商取引システムの全体構成を示す図である。
【００１７】
このシステム１は、インターネットなどの通信ネットワークＬを介して販売者サーバ１０と、ユーザのパソコンなどの通信端末器２０とを双方向通信可能に接続しており、ユーザが通信端末器２０を操作して販売者サーバ１０をアクセスしその通信端末器２０に電子商取引システム１の機能を構成する各表示操作画面の画面情報をダウンロードし、それら画面で商品の選択や発注をできるようにしている。
【００１８】
この販売者サーバ１０は、Ｗｅｂサーバとして構築されており、ユーザが通信端末器２０を操作してアクセスしてきたときには、ユーザが購入を希望する商品群について、商品棚デザインファイル１１Ａと商品棚データファイル１１Ｂより、当該商品群についての情報を取り出し、２次元に配列させた桝目状の桝目欄ｂ２０（図５等に図示）を含んだ商品選択画面Ｂ（図２を参照）の画面情報５を編集し、その画面情報５を購入者の通信端末器２０に送信して、通信端末器２０の表示画面にブラウザ（不図示）を通じて画面情報５をダウンロードさせて表示させ、さらに、ユーザがその商品選択画面Ｂを操作することで商品の選択ができるようにしている。
【００１９】
ここで、商品棚デザインファイル１１Ａと商品棚データファイル１１Ｂとは表示構成情報１１を構成し、その表示構成情報１１は、後述する本発明プログラムによって生成されるようにしている。
【００２０】
商品棚デザインファイル１１Ａはおもに、桝目欄ｂ２０の表示枠や操作ボタンなどのデザイン情報を保存しており、データ形式は、最終的に画面表示するためのＨＴＭＬなどのページ記述言語でもよいし、そのもととなる表示情報（例えば、桝目欄の行、列数やその表示位置、線種、色など種々の情報）であってもよい。
【００２１】
商品棚データファイル１１Ｂはおもに、商品そのものに関連付くデータ（商品名、商品単価など）を保存しており、商品ごと、商品群ごとに区分された種々のレコードで構成され、データとして商品コードや商品名、商品属性などを含んでおり、商品マスターファイルとして位置付けられる。なお、商品棚データファイル１１Ｂは商品陳列棚の表示構成情報としてのみ位置付け、商品マスターファイルを別途に設けたシステム構成であってもよい。
【００２２】
販売者サーバ１０は、購入者の通信端末器２０の操作にしたがい、複数の関連商品からなる特定の商品群について、商品群共通情報１１Ｂｂにもとづく共通事項を商品選択画面Ｂの共通欄ｂ１０（図５を参照）に、その商品群に含まれる複数の関連商品の単価等を２次元に配列させた桝目状の一覧表を商品選択画面Ｂの桝目欄ｂ２０（図５等を参照）に表示させる。そして、ユーザによって、その商品選択画面Ｂで商品が選択され、予定購入個数が入力され、カート格納操作がされると、その購入情報が販売者サーバ１０に返信される。
【００２３】
この電子商取引システム１の機能、処理について、図２、図３を参照しながら説明する。
【００２４】
図２は、本発明システム１の機能（画面）構成の例を示した図である。本発明システム１は、トップページＴの下位に、購入者用の機能（画面）として、ユーザ登録画面Ｄ、商品カテゴリ選択画面Ａ、桝目状の一覧表で商品を注文できる商品選択画面Ｂ、カートに格納された商品情報を一覧表示するカート表示画面Ｃ、全ての商品カテゴリと商品との階層構造を示した商品マップ画面Ｈなどを有している一方、販売者用のバックオフィス機能として、商品カテゴリ選択画面Ａや商品選択画面Ｂなどユーザ側の通信端末器２０に表示させる種々の画面の設計と、商品情報の登録、修正とをできるようにした画面設計機能（画面）Ｅ、在庫管理機能（画面）Ｆ、システムの管理・保守等を目的としたシステム管理機能（画面）Ｇなどを有している。
【００２５】
なお後述するように、商品カテゴリ選択画面Ａは、大分類、中分類、小分類などのように多階層に区分されていてもよい。
【００２６】
販売者用の各画面Ｅ、Ｆ、Ｇは、販売者サーバ１０またはインターネットＬに接続された他の情報端末（不図示）で販売者用（または管理者用）の特定のユーザＩＤ、パスワードを入力することによって呼び出される。また、購入者用の画面は、インターネットＬに接続された購入者のパソコン等の通信端末器２０で、購入者の操作によって呼び出される。
【００２７】
画面設計画面Ｅは、ユーザの通信端末器２０に表示させる商品カテゴリ選択画面Ａや商品選択画面Ｂなどを販売者側で画面設計する機能を有した画面であり、本発明の商品棚設計プログラムを画面操作によって稼動できるようにしている。このプログラムを実行することによって、商品選択画面Ｂの仮想商品陳列棚に相当する桝目欄ｂ２０の設計が容易にでき、かつ商品の単価などの商品情報を商品マスターファイル１１に登録することができる。
【００２８】
これらのＷｅｂ画面は、表示構成情報１１をもとに販売者サーバ１０側でＨＴＭＬ、ＸＭＬ等のページ記述言語によって記述され画面情報ファイル５として生成され、通信端末器２０に搭載したブラウザが、インターネットＬを介してサーバ１０をアクセスして必要とする画面情報ファイル５をダウンロードし、そのファイル内容にしたがって通信端末器２０の画面に表示する。上述した商品選択画面Ｂも、画面情報ファイル５として生成される。
【００２９】
Ｗｅｂ画面はＧＵＩ（グラフィカル・ユーザ・インターフェース）を実現しているため、このようなＷｅｂ画面によりシステムの各種機能を構成すれば、情報の表示だけでなく、通信端末器２０からのデータ入力、サーバ１０への送信やページ切替なども表示画面を通じて容易に行うことができる。
【００３０】
販売者サーバ１０は、購入者側からの操作要求にもとづいて、ＣＧＩ（Ｃｏｍｍｏｎ  Ｇａｔｅｗａｙ  Ｉｎｔｅｒｆａｃｅ）またはＳＳＩ（Ｓｅｒｖｅｒ  Ｓｉｄｅ  Ｉｎｃｌｕｄｅ）を駆動して、要求された情報を表示構成情報１１（商品棚デザインファイル１１Ａおよび商品棚データファイル１１Ｂ）から取り出し、その情報にもとづくＷｅｂ画面の画面情報ファイル５を動的に生成して、購入者用通信端末器２０に表示させるようにしている。
【００３１】
例えば、購入者用の通信端末器２０で、商品カテゴリ選択画面Ａを呼び出したのち、そのメニューの中から特定の商品カテゴリが選択されれば、販売者サーバ１０では、ユーザの選択操作にもとづいて、商品棚デザインファイル１１Ａと商品棚データファイル１１Ｂの中から対象の商品カテゴリに含まれる商品群の情報を取り出して、後述するような共通欄ｂ１０、桝目欄ｂ２０を含む商品選択画面Ｂに種々の商品情報を含ませて画面情報５を生成して、その画面情報５を購入者の通信端末器２０に送信して画面表示させるようにしている。
【００３２】
図３は、電子商取引システム１の基本内部構成を示したものである。なお、本図においては、本システム１の商品カテゴリ選択画面Ａ、商品選択画面Ｂを通じて実行される商品選択／カート格納処理１３、カート表示画面Ｃを通じて実行される一覧表示／注文受付処理１４、商品棚データファイル１１Ｂ、商品棚デザインファイル１１Ａ、これらファイルへの商品情報を登録、修正登録するための商品棚設計処理１２、商品選択操作によって商品が記憶、格納されるカート（記憶エリア）１５、注文を受け付けた際に動作する受注処理１６を図示しているが、ユーザ登録画面Ｄや在庫管理機能Ｆ、システム管理機能Ｇに関する処理、通信処理、購入者通信端末器２０で稼動するブラウザは図示を省略している。以下、各処理を個別に説明する。
【００３３】
商品棚設計処理１２は、本発明プログラムである商品棚設計プログラムを含んで構成される。ここでは、販売者サーバ１０に接続された表示操作装置（ディスプレイ装置とキーボード、マウスなど）１０ａから画面設計画面Ｅの画面表示操作により商品棚の設計を実行する。
【００３４】
また、商品棚データファイル１１Ｂへのデータ入力は、このような画面による登録、修正に限られず、メーカーや卸業者の通信端末２１などを通じて提供を受けた商品情報データを、商品データベース１１のレコード情報にフォーマット変換し編集するようなバッチ処理であってもよい。
【００３５】
商品選択／カート格納処理１３は、購入者用の通信端末器２０で、多階層の商品カテゴリ選択画面Ａを購入者に操作させながら所望の商品群の商品選択画面Ｂを表示し、その商品群の商品選択画面Ｂに共通欄ｂ１０と桝目欄ｂ２０とを表示し、購入者に桝目欄ｂ２０の各桝目に所望の商品の予定購入個数を入力させると、数量入力された商品の合計金額を計算し表示し、さらにその後の購入者のカート格納操作により、選択した商品をカート１５に格納する構成となっている（ステップ１３０〜１３５）。
【００３６】
一覧表示／注文受付処理１４は、購入者用の通信端末器２０にカート表示画面Ｃを表示させ、その画面で注文操作がされたときにカート１５に格納された商品の注文を受け付ける構成となっている（ステップ１４０、１４１）。
【００３７】
受注処理１６は、一覧表示／注文受付処理１４により受け付けた注文情報にもとづいて、所定の受注に関する処理、例えば、受注伝票の作成、在庫の確認などの処理を実行する。
【００３８】
また、商品棚データファイル１１Ｂは、少なくとも図４に示す項目を含んだレコードを含んで構成される。図４（ａ）は商品個別情報レコード１１Ｂａ、（ｂ）は商品群共通情報レコード１１Ｂｂの項目内容を示したものである。なおここでは、電子商取引で扱う商品種類として衣料品を例示する。
【００３９】
商品個別情報レコード１１Ｂａは、商品ごとに生成されており、商品コード、商品名、商品カテゴリ属性１・・・商品カテゴリ属性ｎ、商品属性１、商品属性２、販売単価などの情報を含んでいる。
【００４０】
ここで、商品カテゴリ属性には、図１１〜図１３に示すように、例えばレディース衣料、メンズ衣料などの大分類の属性と、例えばメンズ衣料の場合の背広、カッターシャツなどの中分類の属性と、例えばカッターシャツの場合のカラー（えり）サイズ、色柄などの小分類の属性とを含んでいる。また、商品属性は、例えばカッターシャツであれば、商品属性１（行属性）が首回りサイズ、商品属性２（列属性）がゆき丈などの、２つの属性を含んでいる。
【００４１】
また、商品群共通情報レコード１１Ｂｂには、最下層の商品カテゴリでグルーピングされた商品群の共通事項が登録される。そのレコード項目として、商品群コード、商品群名称、素材、販売単位、共通的な商品画像などが含まれる。ここで、最下層の商品カテゴリとは、画面構成上、多階層の商品カテゴリ画面Ａのうち最下層に位置付けられたもので、商品選択画面Ｂの直上位にあたる商品カテゴリである。
【００４２】
なお、商品棚データファイル１１Ｂは、上記のレコード区分やレコード構成のものに限られず、他のものであってもよい。少なくとも、商品分類情報、販売単価などが商品別に取り出せる構成であればよい。
【００４３】
図５は、商品選択画面Ｂの一例を示した図である。
【００４４】
商品選択画面Ｂは、ある最下層の商品カテゴリでグルーピングされた商品群（ここではポロシャツ）の共通情報を表示する共通欄ｂ１０と、色を列項目の属性、サイズを行項目の属性とする２次元配列の桝目欄ｂ２０と、さらに見積ボタンｂ３１、合計金額表示部ｂ３２、格納ボタンｂ３３などを含んで構成される。
【００４５】
また、見積ボタンｂ３１、合計金額表示部ｂ３２は、商品選択画面Ｂに設けずに、選択商品、購入個数を選択した後、別画面で表示するようにしてもよい。商品選択画面Ｂに、見積ボタンｂ３１、合計金額表示部ｂ３２を組み込んだものでは、その画面情報を見ながら、選択した商品を確認しながら操作できるので、購入者の操作が容易で便利である。
【００４６】
共通欄ｂ１０には、商品棚データファイル１１の商品群共通情報レコード１１ｂから取り出した商品見本画像ｂ１１、商品名、素材、販売単位などの共通事項が表示される。この商品見本画像ｂ１１は写真のみならず、シンボルや絵で構成されたものでもよい。
【００４７】
桝目欄ｂ２０には、行属性ｂ２１、列属性ｂ２２の項目表示欄を設け、これら商品の属性を行、列に区分して特定した商品情報を、行、列の交点である各桝目ｂ２３に表示させる。各桝目ｂ２３内の上段には単価ｂ２４が、下段には予定購入個数の入力窓ｂ２５ａが表示され、この入力窓ｂ２５ａが、購入個数の入力を可能とした入力操作エリアで、商品の選択操作部ｂ２５を構成する。この入力窓ｂ２５ａは購入個数をテンキーで直接入力されるようにしてもよいし、プルダウンメニューで販売単位の倍数が表示され、その中から選択できるようにしてもよい。購入者は、この入力窓ｂ２５ａに個数を入力することによってその桝目ｂ２３の商品を選択することができる。
【００４８】
これらの表示情報は、商品棚デザインファイル１１Ａと商品棚データファイル１１Ｂで構成する表示構成情報１１にもとづいて販売者サーバ１０が生成し送信してきた画面情報５を、通信端末器２０がブラウザを通じて画面上に表示する。
【００４９】
ユーザが通信端末器２０を操作してこの画面Ｂを呼び出したのち、桝目欄ｂ２０内の所望の商品の桝目ｂ２３の入力窓ｂ２５ａに予定購入個数を入力し、見積ボタンｂ３１を操作すると、選択された商品を識別する情報とその予定購入個数等が販売者サーバ１０に返信される。販売者サーバ１０では、その商品の予定購入個数と単価にもとづき購入合計金額を演算し、さらに、すでに選択済みの商品の累計金額に合算し、その合計額を合計金額表示部ｂ３２に表示させるための画面情報５を通信端末器２０に送信する。画面情報５を受け取った通信端末器２０ではブラウザの動作によって画面が更新される。そのような操作を繰り返されるごとに表示が更新され、その後、ユーザが格納ボタンｂ３３を操作すると、予定購入個数の入力済みの商品についての商品情報が販売者サーバ１０へ送信され、カート１５に格納される。
【００５０】
また、複数の商品選択画面Ｂにまたがって選択操作した場合には、格納ボタンｂ３３が操作されるつど同一のカート１５に順次、商品情報が記憶、格納されてゆき、見積ボタンｂ３１が操作されるつど、それまでに合算した総合計金額が表示される。
【００５１】
このように、本発明システム１の商品選択画面Ｂでは、商品の属性を行、列に区分して特定した商品の単価などの商品情報を購入個数の入力窓ｂ２５ａとともにそれぞれの桝目ｂ２３に表示させた桝目欄ｂ２０を画面表示させるようにしているため、ユーザは整列された２次元マトリクス状の桝目欄ｂ２０によって、容易に商品選択でき、かつ同時に複数の商品を選択することができる。
【００５２】
以上に示した商品選択画面Ｂは、次に示す第１、第２の本発明の商品棚設計プログラムによって、２種の方式で設計できるようになっている。また、いずれの商品棚設計プログラムも、画面設計画面Ｅから起動されるようになっている。
【００５３】
第１の本発明プログラムは、販売者が表示操作装置１０ａで操作、表示を繰り返しながら対話形式で商品陳列棚の設計を行えるようにしたプログラムである。
【００５４】
図６、図７は、第１の本発明の商品棚設計プログラムの説明図で、図６はプログラムの基本構成を示した図で、図７はデータ入力の方法を画面表示例で示した説明図である。
【００５５】
図例では、本発明プログラム１２ａは、販売者サーバ１０のバックオフィス機能である画面設計機能Ｅとして実行できるようリンクされており、このプログラム１２ａを実行することにより、販売者サーバ１０内の商品棚デザインファイル１１Ａ、商品棚データファイル１１Ｂをリアルタイムに更新する。
【００５６】
商品棚設計プログラム１２ａは、桝目欄ｂ２０を構成する桝目の行、列数ｅ１、ｅ２の入力を受け付けて、それにもとづいて、行、列属性項目名入力枠ｅ１１、ｅ１２と、商品ごとの単価入力枠ｅ１３とを含んだ桝目状の桝目テーブルｅ１０を生成し、画面上に表示させるステップ１２０と、表示された桝目テーブルｅ１０の行、列属性項目入力枠ｅ１１、ｅ１２に対する属性項目名と、各桝目の単価入力枠ｅ１３に対する商品単価の入力を受け付けて、これらの入力項目を桝目テーブルｅ１０内に表示するステップ１２１と、入力された属性項目名と、入力された各単価とを含んだ桝目テーブルの桝目情報を、確定ボタンｅ２０を操作することによって桝目欄ｂ２０の表示構成情報１１として保存するステップ１２２とを実行する構成となっている。
【００５７】
なお、上述の商品選択画面Ｂには共通欄ｂ１０も含んでいるため、図示するように、その共通欄ｂ１０の設計も同時に行えるようにしている。
【００５８】
また、商品選択画面Ｂの共通欄ｂ１０、桝目欄ｂ２０の表示位置、線種、色など詳細仕様についても選択設計できるようにしているが、これらについては図示を省略している。
【００５９】
商品棚設計プログラム１２ａを実行することによって生成された設計データは、桝目欄ｂ２０の表示枠や操作ボタンなどのデザイン情報を商品棚デザインファイル１１Ａに保存する一方、商品そのものに関連付くデータ（商品名、商品単価など）は商品棚データファイル１１Ｂに保存する。
【００６０】
このように、ユーザの通信端末器２０に表示させる桝目欄ｂ２０に対応した桝目状のテーブルｅ１０を画面表示させてから、必要な項目の入力、表示をしながら画面を設計することができるため、画面上で商品を１つ１つ確認しながら、ユーザの通信端末器２０に表示すべき商品棚を設計することができる。
【００６１】
次に、第２の本発明プログラムについて説明する。
【００６２】
第２の本発明プログラム１２ｂは、所定形式の設計基礎データ９を準備しておき、そのデータ９を全て読み込んでから表示構成情報１１に保存できるようにしたプログラムである。
【００６３】
図８、図９は第２の本発明の商品棚設計プログラムの説明図で、図８はプログラムの基本構成を示した図で、図９は設計基礎データ９の一例を示した図である。
【００６４】
図例では、設計基礎データ９のファイルおよびデータ形式は、テキストデータをカンマで区切って順次読取させるＣＳＶ形式としているが、これには限定されない。なお、図９には、桝目欄ｂ２０の設計基礎データ９のみを図示し、共通欄ｂ１０や他の操作ボタンなどの設計基礎データの図示は省略している。
【００６５】
また、図９に示すように、設計基礎データ９には目的とする桝目欄ｂ２０に相当する桝目データ９ｂのほかに制御データ９ａが含まれており、この制御データ９ａに桝目欄ｂ２０の表示位置、線種、色など詳細仕様を定義できるようにしている。
【００６６】
この商品棚設計プログラム１２ｂは、設計基礎データ９を読み込むステップ１２５と、その入力データを、桝目欄ｂ２０に対応した桝目情報に変換する変換ステップ１２６と、桝目情報を桝目欄ｂ２０の表示構成情報１１として保存するステップ１２７とを実行する構成となっている。なお、商品棚設計プログラム１２ｂは、設計基礎データ９を生成準備するステップ（不図示）を含んだものであってもよい。
【００６７】
ここで、設計基礎データ９のデータの様式（並びや項目定義）は種々のものが想定できるが、どのような様式であっても、最終的な出力情報である表示構成情報１１のデータフォーマットに変換できるように変換ステップを構成すればよい。
【００６８】
このプログラム１２ｂは、本システム１の画面設計画面Ｅから実行できるように、画面上から設計基礎データ９を登録したファイル名を指定できるようにしておけばよい。また、画面設計画面Ｅからの起動によらず、そのプログラム１２ｂを単体で実行できるようにしてもよい。
【００６９】
このように、設計基礎データ９を読み取って実行する形式であるため、データさえ準備しておけば表示構成情報１１の生成は簡易に行える。また、対話形式でないため、複数の桝目欄ｂ２０について一括して設計することができる。夜間などに自動起動できるようにしておけば、日中のサーバ、オペレータの負荷が軽減でき、表示操作装置のネックも解消できる。
【００７０】
さらに、設計基礎データ９のコピーと修正を繰り返せば、短時間で類似する複数の商品棚を設計することができる。また、設計基礎データ９をＣＳＶなどの標準形式にすれば、表計算ソフトで簡易にデータ生成することができるため、目的とする桝目欄ｂ２０と全く同じ行、列数を有した表でもって設計基礎データ９を作成することができる。その結果、データの設定ミスも防止できる。
【００７１】
また、本実施形態では、以上に示した２種の商品棚設計プログラム１２ａ、１２ｂは、販売者サーバ１０の正規の商品棚デザインファイル１１Ａ、商品棚データファイル１１Ｂにリアルタイムに保存するようにしているが、いったん他の準備ファイルに保存し、夜間、休日などのシステムメンテナンス時間帯に自動あるいは手動で正規のファイルに登録するようにしてもよい。
【００７２】
次に、本システム１の商品選択に関する画面の階層構造について説明する。
【００７３】
図１０は、画面の階層構造の一例を示した図である。また、このような階層構造を表した画面は商品マップ画面Ｈに表示される。
【００７４】
この商品マップ画面Ｈは、商品カテゴリあるいは商品の名称、画像などの識別情報が、商品カテゴリ選択画面Ａあるいは商品選択画面Ｂを呼び出すための各呼出ボタンｗに割り当て表示される。
【００７５】
この例では、大分類、中分類の２階層の商品カテゴリによって選択できる商品群と、大分類、中分類、小分類の３階層の商品カテゴリによって選択できる商品群が混在したものを図示している。いずれの場合も、商品選択画面Ｂは、最下層の商品カテゴリ選択画面Ａの下位に位置付けられる。もちろん商品カテゴリ選択画面Ａは１層であってもよいし、さらに多層であってもよい。また、大分類の商品カテゴリ選択画面ＡはトップページＴの中でメニューとして表示させてもよい。
【００７６】
また、特売用の商品選択画面Ｂを設けてもよく、図例のように、より上位に配置すれば販売促進につながる。
【００７７】
なお、この階層構造は、上位の画面から下位の画面へと順次、画面切替によって表示できるものであるが、このような階層操作でしか表示できないものではなく、商品マップ画面Ｈからの呼出ボタンｗの操作や他の画面からのリンク、直接ＵＲＬ入力などでも表示できるようにしている。また、トップページＴなど上位の画面に、目玉商品などの商品の商品桝目選択画面Ｂに表示切替できるようなショートカットボタンを設けてもよい。
【００７８】
この多階層分類の画面構成は、バックオフィス側で自由に設計できるようにすればよい。例えば、複数のカテゴリに含まれる多重分類の商品があれば、その商品の商品選択画面Ｂは、いずれの経路からでも到達できるようにしてもよい。
【００７９】
図１１〜図１３は、図１４に示す商品選択画面Ｂを表示させるための大分類、中分類、小分類の各商品カテゴリ選択画面Ａを示したものである。なお、ここでは衣料を販売する仮想店舗を例示している。
【００８０】
まず、大分類の商品カテゴリ選択画面Ａ１には、衣料を広いカテゴリに分類した商品カテゴリに対応する選択ボタンａ１１が、図示するようにカテゴリ配列欄ａ１０に整列されている。この例では、カテゴリ配列欄ａ１０は３行、４列の桝目状の配列テーブルであり、その各桝目にレディース、メンズ、ペア、子供、ベビーおよび特売の各商品カテゴリを割り当てている。
【００８１】
ただし、この画面Ａ１に示したカテゴリ配列欄ａ１０は、見かけ上は整列しているが、行、列のそれぞれに属性を割り付けたものではなく、また選択ボタンａ１１の並び順の規則もなく、単に行ごとに左から右へと順に選択ボタンａ１１を割り当てただけのものである。もちろん、歯抜け状態に並べたものであってもよい。
【００８２】
このカテゴリ配列欄ａ１０の中から例えばメンズの選択ボタンａ１１が選択操作されると、図１２に示した中分類の商品カテゴリ選択画面Ａ２に切り替わる。
【００８３】
この中分類の商品カテゴリ選択画面Ａ２には、メンズ衣料をさらに細かく分類した商品カテゴリに対応する選択ボタンａ２１が、図示するようにカテゴリ配列欄ａ２０に整列されている。この例では、カテゴリ配列欄ａ２０は３行、４列の桝目状の配列テーブルであり、その各桝目に背広、ブレザー、ジャケット、ズボン、カッターシャツ、その他シャツ、ネクタイ、ネクタイピン、下着、くつ下の各カテゴリを割り当てている。
【００８４】
このカテゴリ配列欄ａ２０も、上記１０種の中分類カテゴリの選択ボタンａ２１を羅列させただけの表示構成である。
【００８５】
このカテゴリ配列欄ａ２０の中からカッターシャツのボタンａ２１が選択操作されると、図１３に示した小分類の商品カテゴリ選択画面Ａ３に切り替わる。
【００８６】
この小分類の商品カテゴリ選択画面Ａ３には、カッターシャツをさらに分類した商品カテゴリに対応した商品カテゴリ選択ボタンａ３１が、図示するようにカテゴリ配列欄ａ３０に整列されている。しかも、このカテゴリ配列欄ａ３０は、商品カテゴリ選択ボタンａ３１を見かけ上整列させただけのものではなく、縦軸に行項目ａ３２を、横軸に列項目ａ３３を設け、行にカラー（えり）のカテゴリ属性を、列に色柄のカテゴリ属性を割り当てている。つまり、この商品カテゴリ選択画面Ａ３は、商品選択画面Ｂと同様、行、列を特定することによって１つのカテゴリが選択できるようになっている。
【００８７】
このカテゴリ選択欄ａ３０の中から白・レギュラーカラーカッターシャツが選択されると、図１４の商品選択画面Ｂに切り替わる。
【００８８】
図１４に示した商品選択画面Ｂは、上述の商品選択画面Ｂ（図５を参照）と同様、白・レギュラーカラーカッターシャツというカテゴリの商品群の共通情報を表示する共通欄ｂ１０（図１４では不図示）と、首回りを行属性ｂ２１、ゆき丈を列属性ｂ２２とする２次元配列の桝目欄ｂ２０と、さらに見積ボタンｂ３１、合計金額表示部ｂ３２、カートへの商品転送を操作するための格納ボタンｂ３３を含んで構成される。
【００８９】
この商品選択画面Ｂにおける商品選択操作およびシステム動作は、図５で説明しているとおりである。
【００９０】
以上のように、商品選択画面Ｂは、商品カテゴリを選択されるようにした商品カテゴリ選択画面Ａの最下層にある選択画面（本例では小分類の商品カテゴリ選択画面Ａ３）を通じて選択表示させるようにしているため、サイトを初めて訪れたユーザであっても、商品カテゴリの上位から下位に画面を切替操作するだけで所望の商品選択画面Ｂを表示させることができる。
【００９１】
また、商品カテゴリ選択画面Ａは、商品カテゴリ選択ボタンａ１１、ａ２１、ａ３１を行、列に配列表示させたカテゴリ配列欄ａ１０、ａ２０、ａ３０が表示されるようにしているため、商品選択と同様、カテゴリ選択もしやすくなり、複数の商品カテゴリ選択画面Ａから商品選択画面Ｂまで終始、桝目状の一覧を見ながら選択することができる。
【００９２】
なお、カテゴリ配列欄ａ１０、ａ２０、ａ３０は、商品選択画面Ｂの桝目欄ｂ２０と同様、行、列に商品カテゴリ属性を割り付けて２次元に配列させたもの、カテゴリを特定規則の順で並べたもの、あるいは無秩序にカテゴリを並べたもののいずれでもよい。
【００９３】
以上に示した各種の商品カテゴリ選択画面Ａについても、バックオフィス機能である画面設計画面Ｅで設計できるようにしている。
【００９４】
図示は省略するが、対話形式のものは、行、列数の入力を受け付けてカテゴリ配列欄ａ１０、ａ２０、ａ３０に相当するカテゴリテーブル（不図示）を生成、表示し、そのカテゴリ名の入力を受け付けてカテゴリテーブルの各選択ボタン部に表示し、確定ボタン操作で表示構成情報に保存する一方、設計基礎データ読み込み形式のものは、その設計基礎データにカテゴリ配列欄ａ１０、ａ２０、ａ３０のカテゴリ名やカテゴリ属性名をＣＳＶ形式などで定義したデータを登録準備しておき、その設計基礎データを入力してカテゴリ配列欄に相当する情報に変換し、表示構成情報として保存する構成となっている。
【図面の簡単な説明】
【００９５】
【図１】本発明プログラムが適用可能な電子商取引システムの機能構成例を示す図である。
【図２】図１に示した電子商取引システムの機能構成を示す図である。
【図３】図１に示した電子商取引システムの基本内部構成を示した図である。
【図４】商品棚データファイルの項目説明図である。
【図５】商品選択画面の表示例を示す図である。
【図６】第１の本発明プログラムの構成を示す図である。
【図７】第１の本発明プログラムにおけるデータ入力方法の説明図である。
【図８】第２の本発明プログラムの構成を示す図である。
【図９】第２の本発明プログラムにおける設計基礎データの一例を示した図である。
【図１０】図１に示した電子商取引システムの画面階層構造の一例を示した図である。
【図１１】商品カテゴリ選択画面（大分類）の一例を示した図である。
【図１２】商品カテゴリ選択画面（中分類）の一例を示した図である。
【図１３】商品カテゴリ選択画面（小分類）の一例を示した図である。
【図１４】商品選択画面の一例を示した図である。
【符号の説明】
【００９６】
１      電子商取引システム
５      画面情報
１０      販売者サーバ
１１      表示構成情報
１１Ａ      商品棚デザインファイル
１１Ｂ      商品棚データファイル（商品マスターファイル）
１２ａ、１２ｂ      商品棚設計プログラム
Ｅ      画面設計画面
ｅ１０      桝目テーブル
ｅ１１      行属性項目入力枠
ｅ１２      列属性項目入力枠
ｅ２０      確定ボタン
９      設計基礎データ
Ｂ      商品選択画面
ｂ２０      桝目欄
ｂ２５      選択操作部
【図１】
2008015737.tif 000003
【図２】
2008015737.tif 000004
【図３】
2008015737.tif 000005
【図４】
2008015737.tif 000006
【図５】
2008015737.tif 000007
【図６】
2008015737.tif 000008
【図７】
2008015737.tif 000009
【図８】
2008015737.tif 000010
【図９】
2008015737.tif 000011
【図１０】
2008015737.tif 000012
【図１１】
2008015737.tif 000013
【図１２】
2008015737.tif 000014
【図１３】
2008015737.tif 000015
【図１４】
2008015737.tif 000016